(57)【要約】【課題】中殿筋サポート機能を有する水着を提供すること。【解決手段】少なくとも左右の中殿筋を覆う中殿筋緊締部を有する水着であって、上記中殿筋緊締部の中殿筋部位の着圧が、４５〜８０ｈＰａの範囲内にあることを特徴とする水着。【選択図】図７
2010281008.tif 000002
【特許請求の範囲】
【請求項１】
少なくとも左右の中殿筋を覆う中殿筋緊締部を有する水着であって、
前記中殿筋緊締部の中殿筋部位における着圧が、４５〜８０ｈＰａの範囲内にあることを特徴とする、
前記水着。
【請求項２】
前記中殿筋緊締部が、一方の外側広筋の上部、大転子付近及び中殿筋、並びに仙骨を覆い、そして他方の中殿筋、大転子付近及び外側広筋の上部を覆う形状を有する、請求項１に記載の水着。
【請求項３】
前記中殿筋緊締部が、少なくとも１層のホットメルト層を含む複層構造を有する、請求項１又は２に記載の水着。
【請求項４】
前記中殿筋緊締部が、最内層から順に、第１の布帛層、ホットメルト層及び第２の布帛層を含む複層構造を有し、
第１の布帛層及び第２の布帛層がホットメルト層と接着している、
請求項１〜３のいずれか一項に記載の水着。
【請求項５】
前記中殿筋緊締部が、最内層から順に、第１の布帛層、ホットメルト層、第２の布帛層及び第３の布帛層を含む複層構造であって、
第１の布帛層及び第２の布帛層がホットメルト層と接着し、そして
第２の布帛層及び第３の布帛層は接着していない、
複層構造を有する少なくとも一部の領域を含む、請求項３又は４に記載の水着。
【請求項６】
第３の布帛層の少なくとも一部の領域上に、パネルが接着されている、請求項５に記載の水着。
【請求項７】
前記布帛層のうち少なくとも１層が、平織り生地層である、請求項３〜５のいずれか一項に記載の水着。
【請求項８】
ロングスーツ、ロングスパッツ又はショートスパッツである、請求項１〜７のいずれか一項に記載の水着。
【発明の詳細な説明】
【技術分野】
【０００１】
本発明は、中殿筋をサポートする中殿筋緊締部を有する水着に関する。
【背景技術】
【０００２】
水着、特に競泳用水着の分野では、軽く、吸水率が少なく、そして水に対する抵抗が小さい布帛、例えば、平織りの生地を用いて、体の大部分を覆うタイプの水着が開発されはじめている。当該水着は、伸びにくく、泳者の体型を保持する等の機能を有する。
【０００３】
また、上記全身を覆うタイプの水着では、単に水の抵抗を下げることのみならず、水着そのものに、種々の機能、例えば、泳者のボディポジションを補正する機能を付与することが検討されている。
【０００４】
例えば、特許文献１には、ストレッチ可能な伸縮性のある生地からなるベース層を有する衣服であって、上記ベース層は、上記衣服の着用時に人の胴の少なくとも一部を覆う胴部分を有し、上記衣服はさらに、上記衣服の腹部及び背下部の領域の周りに延在するように上記ベース層の内面に接着された、ストレッチ可能な伸縮性のある生地からなる内部コア層を有する衣服、特に水着が開示されている。
上記水着における内部コア層は、泳者の体幹安定性を向上させることを目的とするものである。
【０００５】
特許文献２には、伸縮性を有する生地よりなる水着であって、該水着は複数の弱い伸度のローパワー部と複数の強い伸度のハイパワー部とからなり、ローパワー部とハイパワー部、ハイパワー部同士を接合して構成されており、ローパワー部は前面側の下方に配置され、ハイパワー部は前面側の上方および背面側に配置されていることを特徴とする体幹安定水着が開示されている。
特許文献２に開示されている体幹安定水着は、特許文献１と同様、体幹安定性の向上を目的とするものである。
【０００６】
特許文献３には、体表面に密着して着用される伸縮性素材によって構成されている運動用被服において、伸縮部と、緊締部が設けられた運動用被服が開示され、さらに、請求項３には、腰の両側部の外側広筋の上部から連続して大転子付近と中殿筋を覆ってウエストの後側で連続する中殿筋緊締部が設けられている運動用被服が開示されている。
しかし、特許文献３の運動用被服における中殿筋緊締部は、登山活動中のように、足を大きく上下させる場合に中殿筋の動きをサポートするものであって、水泳のように足を小さく且つ激しく動かすような場合に中殿筋の動きを効果的にサポートするものではない。従って、特許文献３に開示される運動用被服を単に水着に転用したのみでは、中殿筋を効果的にサポートすることができない。
【先行技術文献】
【特許文献】
【０００７】
【特許文献１】特開２００８−１５０７６８号公報
【特許文献２】特開２００８−２８０６５６号公報
【特許文献３】特開２００５−４８３３２号公報
【発明の概要】
【発明が解決しようとする課題】
【０００８】
以上のように、水着、特に競泳用水着の分野では、これまで、体幹安定性を考慮した設計はなされてきたが、中殿筋をサポートする設計はなされてこなかった。
従って、中殿筋をサポートする機能を、水着に適した形態で付与することにより、より速く泳ぐことに寄与するものと考えられる。
以上より、本発明は、中殿筋サポート機能を有する水着を提供することを目的とする。
【課題を解決するための手段】
【０００９】
本発明者らは、上記課題を解決するために鋭意検討した結果、少なくとも左右の中殿筋を覆う中殿筋緊締部を有する水着であって、上記中殿筋緊締部の中殿筋部位における着圧が、４５〜８０ｈＰａの範囲内にあることを特徴とする水着により、上記課題を解決できることを見出し、本発明を完成するに至った。
【００１０】
具体的には、本発明は以下の態様に関する。
［態様１］
少なくとも左右の中殿筋を覆う中殿筋緊締部を有する水着であって、
上記中殿筋緊締部の中殿筋部位における着圧が、４５〜８０ｈＰａの範囲内にあることを特徴とする、
上記水着。
［態様２］
上記中殿筋緊締部が、一方の外側広筋の上部、大転子付近及び中殿筋、並びに仙骨を覆い、そして他方の中殿筋、大転子付近及び外側広筋の上部を覆う形状を有する、態様１に記載の水着。
【００１１】
［態様３］
上記中殿筋緊締部が、少なくとも１層のホットメルト層を含む複層構造を有する、態様１又は２に記載の水着。
［態様４］
上記中殿筋緊締部が、最内層から順に、第１の布帛層、ホットメルト層及び第２の布帛層を含む複層構造を有し、
第１の布帛層及び第２の布帛層がホットメルト層と接着している、
態様１〜３のいずれか１つに記載の水着。
【００１２】
［態様５］
上記中殿筋緊締部が、最内層から順に、第１の布帛層、ホットメルト層、第２の布帛層及び第３の布帛層を含む複層構造であって、
第１の布帛層及び第２の布帛層がホットメルト層と接着し、そして
第２の布帛層及び第３の布帛層は接着していない、
複層構造を有する少なくとも一部の領域を含む、態様３又は４に記載の水着。
［態様６］
第３の布帛層の少なくとも一部の領域上に、パネルが接着されている、態様５に記載の水着。
【００１３】
［態様７］
上記布帛層のうち少なくとも１層が、平織り生地層である、態様３〜５のいずれか１つに記載の水着。
［態様８］
ロングスーツ、ロングスパッツ又はショートスパッツである、態様１〜７のいずれか１つに記載の水着。
【発明の効果】
【００１４】
本発明の水着は、着用者の中殿筋をサポートすることができる。
【図面の簡単な説明】
【００１５】
【図１】図１は、本発明の水着の一態様である、男性用の足首部までのロングスーツの正面図である。
【図２】図２は、本発明の水着の一態様である、男性用の足首部までのロングスーツの背面図である。
【図３】図３は、本発明の水着の一態様である女性用のロングスーツにおける中殿筋緊締部のバリエーションを示す図である。
【図４】図４は、本発明の水着の一態様である男性用のロングスパッツにおける中殿筋緊締部のバリエーションを示す図である。
【図５】図５は、中殿筋緊締部の複層構造のバリエーションを示す断面図である。
【図６】図６は、中殿筋緊締部の複層構造のバリエーションを示す断面図である。
【図７】図７は、実施例１で製造した男性用の足首部までのロングスーツを示す図である。
【図８】図８は、実施例２で製造した男性用の足首部までのロングスパッツを示す図である。
【発明を実施するための形態】
【００１６】
本発明の水着について、必要に応じて、図面を用いて、以下、詳細に説明する。
本発明の水着の布帛としては、水着用として一般的に用いられている布帛、例えば、織物、編物を用いることができるが、織物、特に平織り生地が好ましく、例えば、スピード・インターナショナル社からレーザーパルス（商標）の名称の下で供給されているナイロン７０質量％及びポリウレタン３０質量％から成る平織り生地を用いることができる。
【００１７】
図１及び図２は、本発明の水着の一態様である、男性用の足首部までのロングスーツの正面図及び背面図である。図１及び図２に示される中殿筋緊締部１は、少なくとも左右の中殿筋を覆うような形状を有する。好ましくは、中殿筋緊締部１は、一方の外側広筋の上部２、大転子付近３及び中殿筋４、並びに仙骨５を覆い、そして他方の中殿筋４、大転子３付近及び外側広筋の上部２を覆う形状を有する。また、中殿筋緊締部１は、腸骨を後ろ側からさらに覆うこともできる。
【００１８】
図３及び図４は、本発明の中殿筋緊締部１のバリエーションの例を示す図である。図３は、女性用の水着の例であり、中殿筋緊締部１は、一方の外側広筋の上部、大転子付近及び中殿筋、並びに仙骨を覆い、そして他方の中殿筋、大転子付近、外側広筋の上部を通り、元の外側広筋の上部と連結している。図４は、男性用のロングスパッツの例であり、スパッツタイプであっても、中殿筋緊締部１は、中殿筋をサポートすることができる。
【００１９】
中殿筋緊締部１は、中殿筋部位の着圧が、４５〜８０ｈＰａの範囲内にあり、好ましくは４５〜７０ｈＰａの範囲内にあり、より好ましくは５０〜６０ｈＰａの範囲内にある。中殿筋部位の着圧が小さくなると、中殿筋をサポートする効果が弱くなり、一方、中殿筋部位の着圧が大きくなると、中殿筋をサポートする効果は大きくなるとが、締付けがきつきなり、動きにくい、血流が悪くなる等の問題が生じうる。
中殿筋緊締部１は、着用時に中殿筋を適圧で圧迫してサポートし、着用者の中殿筋の運動効率を向上させ且つ疲れにくくさせることができる。
【００２０】
本明細書において、「着圧」は、着用時の圧力を意味する。当該着圧は、接触圧試験器を、人体と本発明の水着との間に配置し、着圧を測定することにより得られる。
上記接触圧試験器としては、例えば、エムエムアイ・テクノ（株）製のＡＭＩ３０３７−１０・２０・５Ｓを用いることができる。
【００２１】
中殿筋緊締部１は、着圧が、上記範囲内であれば、その素材は特に制限されないが、水着に用いられる布帛は、より薄くなってきているので、上記布帛単独では、中殿部に上記範囲の着圧をかけることは難しい。従って、中殿筋緊締部１は、複層構造を有することが好ましい。さらに、中殿筋緊締部１が複層構造を有する場合には、少なくとも１層が、ホットメルト層又はポリマー層であることが好ましい。ホットメルト層又はポリマー層は、薄く適用した場合であっても、一定の着圧が得られ、さらに体の動きに追従することができ、さらに一般的に水に強いので、水着用の中殿筋緊締部として好ましい。
【００２２】
本明細書において、「ホットメルト層」は、加熱することにより溶融し、冷えることにより２つの層を接着し、中殿部に着圧を付与するホットメルト接着剤の層を意味する。上記ホットメルト接着剤としては、特に制限されないが、例えば、ポリウレタン、ポリエステル、アクリル、例えば、エチレンと酢酸ビニルとのコポリマー、ポリオレフィン、ポリアミド、合成ゴム等が挙げられる。
【００２３】
本明細書において、「ポリマー層」は、１つの層に接着され、中殿部に着圧を付与するポリマーの層を意味する。ポリマー層とホットメルト層とは、ポリマー層は１つの層のみに接着している点で、２つの層に接着しているホットメルト層とは異なる。ポリマー層用のポリマーとしては、特に制限されず、ホットメルト接着剤と同様に、例えば、ポリウレタン、ポリエステル、アクリル、例えば、エチレンと酢酸ビニルとのコポリマー、ポリオレフィン、ポリアミド、合成ゴム等が挙げられる。
【００２４】
図５及び図６は、中殿筋緊締部１の複層構造のバリエーションを示す図である。図５では、中殿筋緊締部１は、水着の内側から、第１の布帛層２１、ホットメルト層２２及び第２の布帛層２３を有する複層構造を有し、第１の布帛層２１及び第２の布帛層２３がホットメルト層２２により接着されている。中殿筋緊締部１を、図５のような複層構造とすることにより、ホットメルト層が、人体及び水に直接接触しないので、脱着がしやすく、且つ水泳時の水の抵抗に影響を与えにくい。
【００２５】
図６では、中殿筋緊締部１は、水着の内側から順に、第１の布帛層３１、ホットメルト層３２、第２の布帛層３３及び第３の布帛層３４を含む複層構造を有し、第１の布帛層３１及び第２の布帛層３３がホットメルト層３２と接着し、そして第２の布帛層３３及び第３の布帛層３４は接着されていない。中殿筋緊締部１を、図６のような複層構造とすることにより、中殿筋緊締部１が中殿筋をサポートした結果生じるヨレ、たわみ等が第３の布帛層３４に伝わりにくく、体の周りの水の流れに影響を与えることが少なくなる。また、中殿筋緊締部１は、全体にわたり、図６のような複層構造を有することができ、又は図６のような複層構造を、一部の領域に有することができる。例えば、中殿筋の周囲領域を図６のような複層構造とすることにより、中殿筋の振動をより効果的に押さえることができる。
【００２６】
さらに、中殿筋緊締部１は、水着の表面に、表面摩擦抗力の低減、形状抗力の低減及び／又は水中での安定性の改善をもたらす、特開２００８−１５０７６７号公報に記載されるようなパネルを、中殿筋緊締部１の着圧が、本明細書に規定される範囲内となるような条件下でさらに有することができる。
【００２７】
上記パネルとしては、ポリウレタンが好適であり、好ましくは５０μｍ〜１００μｍ、より好ましくは６０μｍ〜９０μｍ、さらにより好ましくは７０μｍ〜８０μｍの範囲の厚さを有することができ、さらに、上記パネルは、接着層と厚いフィルムの見えがかり層とを有する２層のポリウレタンフィルムであることができる。
【００２８】
本発明の水着は、ロングスーツ又はスパッツであることができる。本明細書において、「ロングスーツ」は、少なくとも一部の上半身と、少なくとも一部の下半身とを覆う水着を意味する。本明細書において、「スパッツ」は、少なくとも一部の下半身を覆う水着を意味する。上記ロングスーツの例としては、図７に示すような足首までのロングスーツの他に、膝上部までのロングスーツ、膝下部までのロングスーツを挙げることができる。
【００２９】
上記スパッツの例としては、ロングスパッツ及びショートスパッツを挙げることができ、ロングスパッツとしては図８に示すような足首までのロングスパッツ、ショートスパッツとしては、さらに膝上部までのショートスパッツ、膝下部までのショートスパッツを挙げることができる。
【００３０】
本発明の水着は、脱着の容易性を考慮し、背中部からおしり部にかけてファスナー部を有することができる。
【実施例】
【００３１】
［実施例１］
水着の素材として、レーザーパルス（スピード・インターナショナル社製）を用いて、図７に示すような男性用の足首部までのロングスーツ（Ｍサイズ）を製造した。中殿筋緊締部は、レーザーパルス、ホットメルト層及びレーザーパルスの３層から成る複層構造６の領域と、レーザーパルス、ホットメルト層、レーザーパルス及びレーザーパルスの４層から成る複層構造７の領域と、レーザーパルス、ホットメルト層、レーザーパルス、レーザーパルス及びパネルの５層から成る複層構造８の領域とを有していた。フラットシーマ９は、補強用の幅１ｃｍのレーザーパルスを共に縫い込んだものであり、パネルは、ポリウレタンから形成させた。
【００３２】
上記水着を、ダミー人形（木製、中殿部付近の周囲長約８５．５ｃｍ）に着用させ、中殿部付近の着圧を測定したところ、左中殿部付近の着圧が５４ｈＰａであり、そして右中殿部付近の着圧が５８ｈＰａであった。
【００３３】
複数名の男性競泳選手に上記水着を着用して泳いでもらったところ、中殿筋部位が水着によりサポートされ、水泳時に体がぶれにくいとの報告を得た。
【００３４】
［実施例２］
水着の素材として、レーザーパルス（スピード・インターナショナル社製）を用いて、図８に示すような男性用のロングスパッツ（Ｍサイズ）を製造した。中殿筋緊締部は、レーザーパルス、ホットメルト層及びレーザーパルスの３層から成る複層構造６を有していた。フラットシーマ９は、補強用の幅１ｃｍのレーザーパルスを共に縫い込んだものであり、パネルは、ポリウレタンから形成させた。
【００３５】
複数名の男性競泳選手に上記水着を着用して泳いでもらったところ、中殿筋部位が水着によりサポートされ、水泳時に体がぶれにくいとの報告を得た。
【００３６】
［比較例１］
市販の水着（スピード・インターナショナル社製、メンズレーザーレーサーロングジョン，Ｍサイズ）を、上記ダミー人形に着用させ、中殿部付近の着圧を測定したところ、左中殿部付近の着圧が３３ｈＰａであり、そして右中殿部付近の着圧が４０ｈＰａであった。
【符号の説明】
【００３７】
１    中殿筋緊締部
２    外側広筋の上部
３    大転子付近
４    中殿筋
５    仙骨
９    フラットシーマ
１０    パネル
１１    ファスナー部
２１    第１の布帛層
２２    ホットメルト層
２３    第２の布帛層
３１    第１の布帛層
３２    ホットメルト層
３３    第２の布帛層
３４    第３の布帛層
【図１】
2010281008.tif 000003
【図２】
2010281008.tif 000004
【図３】
2010281008.tif 000005
【図４】
2010281008.tif 000006
【図５】
2010281008.tif 000007
【図６】
2010281008.tif 000008
【図７】
2010281008.tif 000009
【図８】
2010281008.tif 000010